(57)【要約】【課題】  少ない操作でユーザーの気分に合った目的地の自動検索を行うことができるナビゲーション装置を提供すること。【解決手段】  目的地までの経路案内を行うナビゲーション装置であって、目的地の候補地に関する情報が記憶された目的地情報記憶手段と、音楽再生手段で再生するように選択された曲に関する情報を取得する選択曲情報取得手段と、該選択曲情報取得手段により取得された選択曲に関する情報に基づいて、前記目的地情報記憶手段から選択曲に適した目的地を検索する第１の検索手段とを装備する。【選択図】  図１
2005156160.tif 000002
【特許請求の範囲】
【請求項１】
目的地までの経路案内を行うナビゲーション装置において、
目的地の候補地に関する情報が記憶された目的地情報記憶手段と、
音楽再生手段で再生するように選択された曲に関する情報を取得する選択曲情報取得手
段と、
該選択曲情報取得手段により取得された選択曲に関する情報に基づいて、前記目的地情
報記憶手段から選択曲に適した目的地を検索する第１の検索手段とを備えていることを特
徴とするナビゲーション装置。
【請求項２】
前記目的地情報記憶手段に記憶される情報に、目的地の候補地と曲のジャンルとを関連
付ける情報が含まれ、
前記選択曲情報取得手段が、前記音楽再生手段で再生するように選択された曲のジャン
ル情報を取得するものであり、
前記第１の検索手段が、取得された選択曲のジャンル情報に基づいて、前記目的地情報
記憶手段から選択曲のジャンルに適した目的地を検索するものであることを特徴とする請
求項１記載のナビゲーション装置。
【請求項３】
前記目的地情報記憶手段に記憶される情報に、目的地の候補地とアーティストとを関連
付ける情報が含まれ、
前記選択曲情報取得手段が、前記音楽再生手段で再生するように選択された曲のアーテ
ィスト情報を取得するものであり、
前記第１の検索手段が、取得された選択曲のアーティスト情報に基づいて、前記目的地
情報記憶手段から選択曲のアーティスト情報に適した目的地を検索するものであることを
特徴とする請求項１記載のナビゲーション装置。
【請求項４】
前記目的地情報記憶手段に記憶される情報に、目的地の候補地と曲の歌詞に用いられる
言葉とを関連付ける情報が含まれ、
前記選択曲情報取得手段が、前記音楽再生手段で再生するように選択された曲の歌詞情
報を取得するものであり、
前記第１の検索手段が、取得された選択曲の歌詞情報に基づいて、前記目的地情報記憶
手段から選択曲の歌詞に適した目的地を検索するものであることを特徴とする請求項１記
載のナビゲーション装置。
【請求項５】
前記目的地情報記憶手段に記憶される情報に、目的地の候補地と曲の特徴情報とを関連
付ける関連付情報が含まれ、
前記選択曲情報取得手段が、前記音楽再生手段で再生するように選択された曲の特徴情
報を取得するものであり、
前記第１の検索手段が、取得された選択曲の特徴情報に基づいて、前記目的地情報記憶
手段から選択曲の特徴に適した目的地を検索するものであることを特徴とする請求項１記
載のナビゲーション装置。
【請求項６】
戻り位置を設定する戻り位置設定手段と、
ユーザーの希望する戻り時間を設定するための戻り時間設定手段とを備え、
前記第１の検索手段が、前記選択曲に関する情報と、前記戻り位置設定手段により設定
された戻り位置情報と、前記戻り時間設定手段を介して設定された戻り時間情報とに基づ
いて、前記目的地記憶手段から選択曲に適した目的地を検索するものであることを特徴と
する請求項１〜５のいずれかの項に記載のナビゲーション装置。
【請求項７】
検索対象とする目的地候補を指定するための目的地候補指定手段を備え、
前記第１の検索手段が、前記目的地候補指定手段により指定された目的地候補に基づい
て、前記目的地情報記憶手段から選択曲に適した目的地を検索するものであることを特徴
とする請求項１〜６のいずれかの項に記載のナビゲーション装置。
【請求項８】
目的地までの経路案内を行うナビゲーション装置において、
音楽再生手段で再生するように選択された曲に関する情報を取得する選択曲情報取得手
段と、
過去に設定された目的地に関する情報と、各目的地の設定時に選択された曲に関する情
報とが記憶される目的地別選択曲情報記憶手段と、
前記選択曲情報取得手段により取得された選択曲に関する情報に基づいて、前記目的地
別選択曲情報記憶手段から選択曲に対応した目的地を検索する第２の検索手段とを備えて
いることを特徴とするナビゲーション装置。
【請求項９】
戻り位置を設定する戻り位置設定手段と、
ユーザーの希望する戻り時間を設定するための戻り時間設定手段とを備え、
前記第２の検索手段が、前記選択曲に関する情報と、前記戻り位置設定手段により設定
された戻り位置情報と、前記戻り時間設定手段を介して設定された戻り時間情報とに基づ
いて、前記目的地別選択曲情報記憶手段から選択曲に対応した目的地を検索するものであ
ることを特徴とする請求項８記載のナビゲーション装置。
【請求項１０】
前記第１の検索手段又は前記第２の検索手段が、目的地となる候補地を複数抽出するも
のであるとともに、
これら複数の候補地から目的地を選択するための目的地選択手段と、
該目的地選択手段により選択された目的地までの誘導経路を探索する誘導経路探索手段
と、
該誘導経路探索手段により探索された誘導経路に関する情報をユーザーへ提示する第１
の提示手段とを備えていることを特徴とする請求項１〜９のいずれかの項に記載のナビゲ
ーション装置。
【請求項１１】
目的地までの経路案内を行うナビゲーション装置において、
音楽再生手段で再生するように選択された曲に関する情報を含む検索条件データを情報
提供装置へ送信する第１の送信手段と、
前記情報提供装置から送信されてくる選択曲に適した目的地に関する情報を受信する第
１の受信手段と、
該第１の受信手段により受信された前記目的地に関する情報をユーザーヘ提示する第２
の提示手段とを備えていることを特徴とするナビゲーション装置。
【請求項１２】
目的地までの経路案内を行うナビゲーションシステムにおいて、
音楽再生手段で再生するように選択された曲に関する情報を含む検索条件データを情報
提供装置へ送信する第１の送信手段と、
前記情報提供装置から送信されてくる選択曲に適した目的地に関する情報を受信する第
１の受信手段と、
該第１の受信手段により受信された前記目的地に関する情報をユーザーへ提示する第２
の提示手段とを含んで構成されるナビゲーション装置と、
該ナビゲーション装置から送信されてくる前記検索条件データを受信する第２の受信手
段と、
該第２の受信手段により受信された前記検索条件データに基づいて、複数の曲に関する
情報が記憶された曲情報記憶手段から選択曲に関する情報を抽出する選択曲情報抽出手段
と、
抽出された選択曲に関する情報を含む検索条件に基づいて、目的地の候補地に関する情
報が記憶された目的地情報記憶手段から選択曲に適した目的地を検索する第３の検索手段
と、
該第３の検索手段により検出された目的地に関する情報を前記ナビゲーション装置へ送
信する第２の送信手段とを含んで構成される情報提供装置と備えていることを特徴とする
ナビゲーションシステム。
【請求項１３】
目的地までの経路案内を行うナビゲーションシステムを構成する情報提供装置であって
、
ナビゲーション装置から送信されてくる選択曲情報を含む検索条件データを受信する第
２の受信手段と、
該第２の受信手段により受信された選択曲情報に基づいて、複数の曲に関する情報が記
憶された曲情報記憶手段から選択曲に関する情報を抽出する選択曲情報抽出手段と、
抽出された選択曲に関する情報を含む検索条件に基づいて、目的地の候補地に関する情
報が記憶された目的地情報記憶手段から選択曲に適した目的地を検索する第３の検索手段
と、
該第３の検索手段により検出された目的地に関する情報を前記ナビゲーション装置へ送
信する第２の送信手段とを含んで構成されていることを特徴とする情報提供装置。
【発明の詳細な説明】
【技術分野】
【０００１】
本発明はナビゲーション装置、ナビゲーションシステム、及び情報提供装置に関し、よ
り詳細には新規な目的地検索機能を有するナビゲーション装置、ナビゲーションシステム
、及び情報提供装置に関する。
【背景技術】
【０００２】
従来のナビゲーション装置には、目的地を検索するための目的地検索機能が装備されて
いる。この目的地検索機能には、施設名称を５０音入力する５０音検索、施設ジャンルか
ら目的地を絞り込むジャンル検索、電話番号を入力する電話番号検索、住所を入力する住
所検索などがあり、これらの目的地検索は、主に目的地が決まっている場合に利用される
。これらの目的地検索機能の他に、目的地が特に決まっていない場合などにおいて、ユー
ザーの各種嗜好条件に基づいて、該嗜好条件に適した目的地を自動検索することのできる
機能を備えているナビゲーション装置もある。
【０００３】
また、最近ではナビゲーション装置とオーディオ装置とが一体化されたシステムも開発
されており、ナビゲーション装置による経路案内を行いながら、オーディオ装置による音
楽ソース（例えば、ＣＤやＭＤなど）の再生を行うことができるものもあり、ナビゲーシ
ョン装置とオーディオ装置とを連携させることにより、新しい機能を作り出す工夫もなさ
れている。
【０００４】
例えば、下記の特許文献１には、車両の走行しているシチュエーション（通過点や場所
）を自動的に認識して、それに応じた音楽ソース（ＣＤ、ラジオ、カセットテープなど）
を選択し、自動的にその音楽ソースに切り替えるシステムが開示されている。
【０００５】
しかしながら、従来のナビゲーション装置が備えている、ユーザーの各種嗜好条件に適
した目的地の自動検索機能は、自動検索とは言うもののユーザーの嗜好条件を予め多数入
力しなければならず、そのための入力操作が煩雑で面倒であるいう課題があった。
【特許文献１】特開平８−６３９４６号公報
【発明の開示】
【課題を解決するための手段及びその効果】
【０００６】
本発明は上記課題に鑑みなされたものであって、少ない操作でユーザーの気分に合った
目的地の自動検索を行うことができるナビゲーション装置、ナビゲーションシステム、及
び情報提供装置を提供することを目的としている。
【０００７】
上記目的を達成するために本発明に係るナビゲーション装置（１）は、目的地までの経
路案内を行うナビゲーション装置であって、目的地の候補地に関する情報が記憶された目
的地情報記憶手段と、音楽再生手段で再生するように選択された曲に関する情報を取得す
る選択曲情報取得手段と、該選択曲情報取得手段により取得された選択曲に関する情報に
基づいて、前記目的地情報記憶手段から選択曲に適した目的地を検索する第１の検索手段
とを備えていることを特徴としている。
【０００８】
上記ナビゲーション装置（１）によれば、前記選択曲情報取得手段により取得された選
択曲に関する情報に基づいて、前記目的地情報記憶手段から選択曲に適した目的地の検索
が行われる。したがって、ユーザーにとって、聴きたい曲を選択するという少ない操作で
、その曲に適した目的地が検索されることとなり、煩雑な嗜好条件などの入力を行わなく
てもユーザーの気分に合った目的地を自動的に検索することが可能となる。また、選択曲
に適した目的地が自動的に検索されるので、ユーザーにとっては、ゲーム感覚で目的地を
設定することもでき、遊び心をもたせたナビゲーション装置を実現することができる。
【０００９】
また本発明に係るナビゲーション装置（２）は、上記ナビゲーション装置（１）におい
て、前記目的地情報記憶手段に記憶される情報に、目的地の候補地と曲のジャンルとを関
連付ける情報が含まれ、前記選択曲情報取得手段が、前記音楽再生手段で再生するように
選択された曲のジャンル情報を取得するものであり、前記第１の検索手段が、取得された
選択曲のジャンル情報に基づいて、前記目的地情報記憶手段から選択曲のジャンルに適し
た目的地を検索するものであることを特徴としている。
【００１０】
上記ナビゲーション装置（２）によれば、取得した選択曲のジャンル（例えば、歌謡曲
、ロック、童謡、演歌などの曲調別ジャンルや、７０年代の曲、８０年代の曲といった年
代別ジャンルなど）に基づいて、前記目的地情報記憶手段から選択曲のジャンルに適した
目的地が検索される。すなわち、前記選択曲のジャンルを、目的地の候補地と曲のジャン
ルとを関連付ける情報（例えば、候補地をイメージさせる曲のジャンル情報）と照合させ
ることにより、前記選択曲のジャンルと一致する曲のジャンルが関連付けられている候補
地を選択曲のジャンルに適した目的地として検索することができる。
【００１１】
また本発明に係るナビゲーション装置（３）は、上記ナビゲーション装置（１）におい
て、前記目的地情報記憶手段に記憶される情報に、目的地の候補地とアーティストとを関
連付ける情報が含まれ、前記選択曲情報取得手段が、前記音楽再生手段で再生するように
選択された曲のアーティスト情報を取得するものであり、前記第１の検索手段が、取得さ
れた選択曲のアーティスト情報に基づいて、前記目的地情報記憶手段から選択曲のアーテ
ィスト情報に適した目的地を検索するものであることを特徴としている。
【００１２】
上記ナビゲーション装置（３）によれば、取得した選択曲のアーティスト情報（例えば
、アーティストのイメージ、趣味や好物などの嗜好情報、スケジュール情報、アーティス
トの縁の場所などの情報）に基づいて、前記目的地情報記憶手段から選択曲のアーティス
ト情報に適した目的地が検索される。すなわち、前記選択曲のアーティスト情報を、目的
地の候補地とアーティストとを関連付ける情報と照合させることにより、前記選択曲のア
ーティスト情報と前記アーティスト関連情報とが互いに関連付けられる候補地を選択曲の
アーティストに適した目的地として検索することができる。
【００１３】
また本発明に係るナビゲーション装置（４）は、上記ナビゲーション装置（１）におい
て、前記目的地情報記憶手段に記憶される情報に、目的地の候補地と曲の歌詞に用いられ
る言葉とを関連付ける情報が含まれ、前記選択曲情報取得手段が、前記音楽再生手段で再
生するように選択された曲の歌詞情報を取得するものであり、前記第１の検索手段が、取
得された選択曲の歌詞情報に基づいて、前記目的地情報記憶手段から選択曲の歌詞に適し
た目的地を検索するものであることを特徴としている。
【００１４】
上記ナビゲーション装置（４）によれば、取得した選択曲の歌詞情報（例えば、施設や
場所などを連想させる歌詞に用いられている言葉など）に基づいて、前記目的地情報記憶
手段から選択曲の歌詞に適した目的地が検索される、すなわち、前記選択曲の歌詞情報を
、目的地の候補地と曲の歌詞とを関連付ける情報（例えば、候補地をイメージさせるキー
ワード）と照合させることにより、前記選択曲の歌詞情報と前記歌詞関連情報とが互いに
関連付けられる候補地を歌詞に適した目的地として検索することができる。
【００１５】
また本発明に係るナビゲーション装置（５）は、上記ナビゲーション装置（１）におい
て、前記目的地情報記憶手段に記憶される情報に、目的地の候補地と曲の特徴情報とを関
連付ける関連付情報が含まれ、前記選択曲情報取得手段が、前記音楽再生手段で再生する
ように選択された曲の特徴情報を取得するものであり、前記第１の検索手段が、取得され
た選択曲の特徴情報に基づいて、前記目的地情報記憶手段から選択曲の特徴に適した目的
地を検索するものであることを特徴としている。
【００１６】
上記ナビゲーション装置（５）によれば、取得した選択曲の特徴情報（例えば、曲から
イメージされる季節、遊び、風景、施設などの曲のイメージ情報や、主題歌や挿入歌とし
て採用されたドラマ、映画、ＣＭ等の曲のプロフィール情報など）に基づいて、前記目的
地情報記憶手段から選択曲の特徴に適した目的地が検索される。
【００１７】
したがって、前記選択曲の特徴情報を、目的地の候補地と曲のイメージとを関連付ける
情報（例えば、候補地をイメージさせるキーワード）と照合させることにより、前記選択
曲のイメージ情報と前記関連付情報とが互いに関連付けられる候補地を曲の特徴に適した
目的地として検索することができる。また、前記選択曲の特徴情報に、例えば、「○○ド
ラマの舞台は海」という曲のプロフィール情報があれば、該プロフィール情報を、目的地
の候補地と曲の特徴とを関連付ける情報（例えば、候補地をイメージさせるキーワード）
と照合させることにより、○○ドラマのイメージの場所（例えば、海岸、水族館など）な
どが目的地として検索することができ、選択曲の特徴に適した目的地を検索することがで
きる。
【００１８】
また本発明に係るナビゲーション装置（６）は、上記ナビゲーション装置（１）〜（５
）のいずれかにおいて、戻り位置を設定する戻り位置設定手段と、ユーザーの希望する戻
り時間を設定するための戻り時間設定手段とを備え、前記第１の検索手段が、前記選択曲
に関する情報と、前記戻り位置設定手段により設定された戻り位置情報と、前記戻り時間
設定手段を介して設定された戻り時間情報とに基づいて、前記目的地記憶手段から選択曲
に適した目的地を検索するものであることを特徴としている。
【００１９】
上記ナビゲーション装置（６）によれば、前記選択曲に関する情報と、前記戻り位置情
報と、前記戻り時間情報とに基づいて選択曲に適した目的地が検索されるので、例えば、
設定された戻り時間で現在地や自宅などの設定された位置に戻ってくることのできるエリ
ア内で選択曲に適した目的地を検索することが可能となる。                          
【００２０】
また本発明に係るナビゲーション装置（７）は、上記ナビゲーション装置（１）〜（６
）のいずれかにおいて、検索対象とする目的地候補を指定するための目的地候補指定手段
を備え、前記第１の検索手段が、前記目的地候補指定手段により指定された目的地候補に
基づいて、前記目的地情報記憶手段から選択曲に適した目的地を検索するものであること
を特徴としている。
【００２１】
上記ナビゲーション装置（７）によれば、前記目的地候補指定手段により、ユーザーは
検索対象とする目的地候補を指定することにより、目的地候補を予め絞り込むことができ
、必要のない候補地を除いた効率の良い検索処理を行うことができる。
【００２２】
また本発明に係るナビゲーション装置（８）は、目的地までの経路案内を行うナビゲー
ション装置において、音楽再生手段で再生するように選択された曲に関する情報を取得す
る選択曲情報取得手段と、過去に設定された目的地に関する情報と、各目的地の設定時に
選択された曲に関する情報とが記憶される目的地別選択曲情報記憶手段と、前記選択曲情
報取得手段により取得された選択曲に関する情報に基づいて、前記目的地別選択曲情報記
憶手段から選択曲に対応した目的地を検索する第２の検索手段とを備えていることを特徴
としている。
【００２３】
上記ナビゲーション装置（８）によれば、取得した選択曲に関する情報に基づいて、前
記目的地別選択曲情報記憶手段から選択曲に対応した目的地が検索される。すなわち、前
記選択曲に関する情報を、前記目的地別選択曲情報記憶手段の情報と照合させることによ
り、過去に設定された目的地を、新たに選択された曲に対応した目的地として検索するこ
とができ、過去にその曲を聴いた時に設定されていた目的地を再度設定することが可能と
なり、過去に行ったドライブコースを再現することもできる。
【００２４】
また本発明に係るナビゲーション装置（９）は、上記ナビゲーション装置（８）におい
て、戻り位置を設定する戻り位置設定手段と、ユーザーの希望する戻り時間を設定するた
めの戻り時間設定手段とを備え、前記第２の検索手段が、前記選択曲に関する情報と、前
記戻り位置設定手段により設定された戻り位置情報と、前記戻り時間設定手段を介して設
定された戻り時間情報とに基づいて、前記目的地別選択曲情報記憶手段から選択曲に対応
した目的地を検索するものであることを特徴としている。
【００２５】
上記ナビゲーション装置（９）によれば、前記選択曲に関する情報と、前記戻り位置情
報と、前記戻り時間情報とに基づいて、前記目的地別選択曲情報記憶手段から選択曲に対
応した目的地が検索されるので、例えば、ユーザーにより設定された戻り時間で現在地や
自宅などの設定された位置に戻ってくることのできるエリア内で選択曲に対応した目的地
を検索することが可能となる。
【００２６】
また本発明に係るナビゲーション装置（１０）は、上記ナビゲーション装置（１）〜（
９）のいずれかにおいて、前記第１の検索手段又は前記第２の検索手段が、目的地となる
候補地を複数抽出するものであるとともに、これら複数の候補地から目的地を選択するた
めの目的地選択手段と、該目的地選択手段により選択された目的地までの誘導経路を探索
する誘導経路探索手段と、該誘導経路探索手段により探索された誘導経路に関する情報を
ユーザーへ提示する第１の提示手段とを備えていることを特徴としている。
【００２７】
上記ナビゲーション装置（１０）によれば、前記第１の検索手段又は前記第２の検索手
段により目的地となる候補地が複数抽出され、前記目的地選択手段を通じて、これら複数
の候補地からユーザーが自由に目的地を選択することができ、ユーザーの納得した目的地
を選択することができ、該選択された目的地までの誘導経路を探索することができる。ま
た、探索された誘導経路に関する情報がユーザーへ提示されるので、ユーザーは前記誘導
経路に従って車両を走行させることにより、選択曲に適した目的地へ到達することができ
る。
【００２８】
また本発明に係るナビゲーション装置（１１）は、目的地までの経路案内を行うナビゲ
ーション装置において、音楽再生手段で再生するように選択された曲に関する情報を含む
検索条件データを情報提供装置へ送信する第１の送信手段と、前記情報提供装置から送信
されてくる選択曲に適した目的地に関する情報を受信する第１の受信手段と、該第１の受
信手段により受信された前記目的地に関する情報をユーザーヘ提示する第２の提示手段と
を備えていることを特徴としている。
【００２９】
また、本発明に係るナビゲーションシステム（１）は、目的地までの経路案内を行うナ
ビゲーションシステムにおいて、音楽再生手段で再生するように選択された曲に関する情
報を含む検索条件データを情報提供装置へ送信する第１の送信手段と、前記情報提供装置
から送信されてくる選択曲に適した目的地に関する情報を受信する第１の受信手段と、該
第１の受信手段により受信された前記目的地に関する情報をユーザーへ提示する第２の提
示手段とを含んで構成されるナビゲーション装置と、該ナビゲーション装置から送信され
てくる前記検索条件データを受信する第２の受信手段と、該第２の受信手段により受信さ
れた前記検索条件データに基づいて、複数の曲に関する情報が記憶された曲情報記憶手段
から選択曲に関する情報を抽出する選択曲情報抽出手段と、抽出された選択曲に関する情
報を含む検索条件に基づいて、目的地の候補地に関する情報が記憶された目的地情報記憶
手段から選択曲に適した目的地を検索する第３の検索手段と、該第３の検索手段により検
出された目的地に関する情報を前記ナビゲーション装置へ送信する第２の送信手段とを含
んで構成される情報提供装置と備えていることを特徴としている。
【００３０】
また、本発明に係る情報提供装置（１）は、目的地までの経路案内を行うナビゲーショ
ンシステムを構成する情報提供装置であって、ナビゲーション装置から送信されてくる選
択曲情報を含む検索条件データを受信する第２の受信手段と、該第２の受信手段により受
信された選択曲情報に基づいて、複数の曲に関する情報が記憶された曲情報記憶手段から
選択曲に関する情報を抽出する選択曲情報抽出手段と、抽出された選択曲に関する情報を
含む検索条件に基づいて、目的地の候補地に関する情報が記憶された目的地情報記憶手段
から選択曲に適した目的地を検索する第３の検索手段と、該第３の検索手段により検出さ
れた目的地に関する情報を前記ナビゲーション装置へ送信する第２の送信手段とを含んで
構成されていることを特徴としている。
【００３１】
上記ナビゲーション装置（１１）、上記ナビゲーションシステム（１）、又は上記情報
提供装置（１）によれば、選択曲に適した目的地の検索をナビゲーション装置ではなく、
前記情報提供装置で行わせることにより、前記ナビゲーション装置の検索処理にかかる負
担を低減することができるとともに、目的地の候補地に関する情報、曲に関する情報など
をナビゲーション装置に記憶させておく必要がないので、情報の記憶容量を少なくするこ
とができる。また、前記情報提供装置では、目的地の候補地に関する情報や、曲に関する
情報などの収集が容易なため、最新情報など多くの情報が反映されたより充実した目的地
に関する情報をナビゲーション装置へ提供することができる。
【発明を実施するための最良の形態】
【００３２】
以下、本発明に係るナビゲーション装置、ナビゲーションシステム、及び情報提供装置
の実施の形態を図面に基づいて説明する。図１は、実施の形態（１）に係るナビゲーショ
ン装置の要部を概略的に示したブロック図である。
【００３３】
車速から演算して走行距離を取得するための車速センサ１２と、進行方向を検出するた
めのジャイロセンサ１３とがマイクロコンピュータ（以下、マイコンと記す）１１に接続
されており、さらにアンテナ１４ａを介して衛星からのＧＰＳ信号を受信するＧＰＳ受信
機１４がマイコン１１に接続されている。
【００３４】
データの読み書きが可能なハードディスク装置（ＨＤＤ）１５には、電子地図データ、
目的地の候補地に関する情報が収録された目的地情報データベース１５ａ、及び複数の曲
に関する情報が収録された楽曲データベース１５ｂが記憶されている。ＨＤＤ１５はマイ
コンからの制御信号に応じて、必要なデータを読み込んで、マイコン１１に出力する。ま
た、ＨＤＤ１５は、マイコン１１からの制御信号に応じて、電子地図データ、目的地情報
データベース１５ａ、又は楽曲データベース１５ｂの更新データなどをＨＤＤ１５を構成
する磁気ディスクに書き込み記憶する。また、ＨＤＤ１５に代わり、データの読み書きが
可能なＤＶＤ−ＲＡＭ装置などを採用することもできる。
【００３５】
図２は、ＨＤＤ１５に記憶された目的地情報データベース１５ａのデータ構造を示して
いる。図２に示したように、目的地情報データベース１５ａには、目的地の候補地に関す
る情報として、各候補地毎の位置データ、名称、施設ジャンルとともに、各候補地と曲と
を関連付ける情報として、各候補地のイメージに合う曲のジャンル（イメージ曲ジャンル
）が収録されている。
【００３６】
図３は、ＨＤＤ１５に記憶された楽曲データベース１５ｂのデータ構造を示している。
図３に示したように、楽曲データベース１５ｂには、曲に関する情報として、曲名、アー
ティスト名、アルバム名、曲のジャンルなどが収録されている。
【００３７】
また、記憶媒体１６に格納されている音楽データを読み込んで再生を行う音楽再生装置
１７がマイコン１１に接続されており、音楽再生装置１７は、マイコン１１からの制御信
号に応じて、記憶媒体１６から必要なデータを読み込んで、マイコン１１に出力したり、
記憶媒体１６から音楽データを読み込んでアンプ１８を介してスピーカ１９より音声出力
する処理を行うようになっている。音楽再生装置１７は、ＣＤ、ＭＤ、半導体メモリ、ハ
ードディスクなどの記憶媒体１６の再生が行えるものであればよく、ＣＤデッキ、ＭＤデ
ッキ、ＤＶＤデッキ、オートチェンジャー装置、ハードディスク装置などを１台以上含ん
で構成されている。なお、音楽再生装置１７は、ナビゲーション装置と一体化されている
ものでも、別体で接続されているものでもよく、また、ディジタルテレビ放送等、上述の
曲データも含めて放送する放送受信装置でもよい。
【００３８】
また、各種の操作や設定等を行うための操作部２０がマイコン１１に接続されている。
操作部２０は、リモコン（図示せず）や表示部２１に設けられたジョイスティックやボタ
ンスイッチ、表示部２１を構成する表示パネル（図示せず）の前面に設けられたタッチパ
ネルスイッチなどにより構成されており、各種のスイッチから出力されたスイッチ信号や
、座標信号がマイコン１１に入力され、これらスイッチ信号や座標信号に応じた処理がマ
イコン１１で行われるようになっている。
【００３９】
また、外部とデータ通信を行うための通信装置２２がマイコン１１に接続されており、
ユーザーによる情報取得操作に応じて、マイコン１１は、通信装置２２を制御し、インタ
ーネット上の情報提供サーバ（図示せず）へ接続し、地図データ、目的地情報データベー
ス１５ａに記憶される目的地の候補地に関する情報、または楽曲データベース１５ｂに記
憶される曲に関する情報等をダウンロードして、ＨＤＤ１５に記憶する処理を行うように
なっている。なお、通信装置２２は、携帯電話などの移動体通信手段により構成されてい
る。
【００４０】
また、スピーカ１９がアンプ１８を介してマイコン１１に接続されており、マイコン１
１は、経路案内などの合成音声を生成してアンプ１８に出力し、合成音声データを増幅さ
せて、スピーカ１９から音声として出力させる処理を行うようになっている。また、音楽
再生装置１７で再生された音楽データもアンプ１８を介して増幅され、スピーカ１９から
音声として出力されるようになっている。
【００４１】
マイコン１１は、車速センサ１２及びジャイロセンサ１３から取り込んだ信号に基づい
て、走行距離及び進行方向を演算して自車位置を割り出すとともに（自律航法）、ＧＰＳ
受信機１４から取り込んだＧＰＳ信号に基づいて自車位置を割り出すようになっている（
ＧＰＳ航法）。また、マイコン１１は、ユーザーによる操作部２０の各種操作に応じて、
ＨＤＤ１５や音楽再生装置１７を制御して選択曲に適した目的地を検索する処理や、検索
された目的地までの経路を探索する処理、あるいは割り出した自車位置と電子地図データ
とを合わせる処理（いわゆる、マップマッチング処理）を行い、表示部１６の表示パネル
に、目的地情報、経路情報、自車位置が正確に示された地図等を表示させる処理を行うよ
うになっている。マイコン１１には、各種データ、プログラムの記憶や演算処理のために
用いられるＲＡＭ、ＲＯＭ（いずれも図示せず）が内蔵されている。
【００４２】
また、実施の形態（１）に係るナビゲーション装置では、表示パネル上に表示された画
面を通じて、ユーザーが所定の入力を行うことができるようになっており、例えば、図４
に示したような「目的地設定」画面を通じて、選択曲による目的地の自動検索モード（「
選択曲」ボタン）を選択することができ、また、図５に示した「戻り時間設定」画面を通
じて、現在位置に戻ってくるまでの時間（あるいは自宅等の所定位置に戻ってくるまでの
時間）の設定を行うことができるようになっており、ユーザーにより入力された情報は、
マイコン１１内のＲＡＭに記憶されるようになっている。
【００４３】
次に、実施の形態（１）に係るナビゲーション装置におけるマイコン１１の行う処理動
作を図６に示したフローチャートに基づいて説明する。なお、本処理動作は、目的地設定
画面において、選択曲による目的地の自動検索がユーザーにより要求された場合に実行さ
れる。
【００４４】
まず、ステップＳ１では、「戻り時間設定」画面（図５）を表示パネル上へ表示する処
理を行い、ユーザーに戻り時間の設定を行わせるようにして、その後ステップＳ２に進む
。ステップＳ２では、戻り時間の設定が完了しているか否かを判断し、戻り時間の設定が
完了していないと判断すればステップＳ１に戻る一方、戻り時間の入力が完了していると
判断すればステップＳ３に進む。
【００４５】
ステップＳ３では、音楽再生装置１７で再生させる曲を選択するための曲選択画面を通
じての曲選択が完了しているか否かを判断し、曲選択が完了していないと判断すればステ
ップＳ４に進み、曲選択画面を表示パネル上へ表示する処理を行い、ユーザーに曲の選択
を行わせるようにして、ステップＳ３に戻る。
【００４６】
一方、ステップＳ３において、曲選択が完了していると判断すればステップＳ５に進み
、ステップＳ５では、選択曲に関する情報の取得処理、すなわち、音楽再生装置１７にア
クセスし、例えば、音楽再生装置１７で再生される記憶媒体１６が、ＣＤであれば、ディ
スク情報（ＴＯＣ情報）を取得し、該ディスク情報に基づいて楽曲データベース１５ｂか
ら選択曲に関する情報（アルバム名、アーティスト名、曲タイトル名、ジャンルなどの情
報）を取得する処理を行う一方、音楽データに付加情報（アルバム名、アーティスト名、
曲タイトル名、ジャンルなどの情報）が記憶されている記憶媒体１６（例えば、ＭＤ、半
導体メモリ、ハードディスクなど）であれば、これらの付加情報を音楽再生装置１７を制
御して取得する処理を行い、その後ステップＳ６に進む。
【００４７】
ステップＳ６では、ＧＰＳ信号などに基づいて現在位置を算出する処理を行い、その後
ステップＳ７に進む。ステップＳ７では、現在位置から設定された戻り時間で戻ってくる
ことができるエリア内で、選択曲のジャンルに基づいて、ＨＤＤ１５に記憶された目的地
情報データベース１５ａから選択曲に適した目的地を検索する処理、すなわち取得した選
択曲のジャンルを、目的地情報データベース１５ａの情報（候補地をイメージさせる曲の
ジャンルなど）と照合させて、前記選択曲のジャンルと一致する曲のジャンルが設定され
ている候補地を選択曲のジャンルに適した目的地として検索する処理を行い、その後ステ
ップＳ８に進む。
【００４８】
ステップＳ８では、検索により抽出された目的地の候補地を、表示パネル上にリスト表
示する処理を行い、その後ステップＳ９に進む。ステップＳ９では、タッチパネルなどに
おける操作によって、ユーザーにより目的地が選択されたか否かを判断し、ユーザーによ
り目的地が選択されたと判断すればステップＳ１０に進む一方、ユーザーにより目的地が
選択されていないと判断すればステップＳ９に戻る。
【００４９】
ステップＳ１０では、現在位置とＨＤＤ１５に記憶された電子地図データとに基づいて
、選択された目的地までの誘導経路を探索する処理を行い、その後ステップＳ１１に進み
、ステップＳ１１では、探索された誘導経路を表示パネル上へ表示する処理を行い、その
後ステップＳ１２に進む。
【００５０】
ステップＳ１２では、タッチパネルなどにおけるボタン操作によって、目的地への誘導
経路の案内開始操作があった否かを判断し、案内開始操作がなかったと判断すれば処理を
終了する一方、案内開始操作があったと判断すればステップＳ１３に進み、ステップＳ１
３では、目的地への経路案内処理を開始して、処理を終了する。
【００５１】
上記実施の形態（１）に係るナビゲーション装置によれば、記憶媒体１６や楽曲データ
ベース１５ｂから取得した選択曲のジャンルに基づいて、目的地情報データベース１５ａ
から選択曲のジャンルに適した目的地が検索される。すなわち、取得した選択曲のジャン
ルを、目的地情報データベース１５ａの情報（イメージ曲ジャンル）と照合させることに
より、前記選択曲のジャンルと一致する曲のジャンル情報が設定されている候補地を選択
曲のジャンルに適した目的地として検出することができる。
【００５２】
したがって、ユーザーにとって、聴きたい曲を選択するという少ない操作で、その曲に
適した目的地が検索されることとなり、煩雑な嗜好条件などの入力を行わなくてもユーザ
ーの気分に合った目的地を自動的に検索することが可能となる。また、選択曲に適した目
的地が自動的に検索されるので、ユーザーにとっては、ゲーム感覚で目的地を設定するこ
ともでき、遊び心をもたせたナビゲーション装置を実現することができる。
【００５３】
なお、上記実施の形態（１）に係るナビゲーション装置では、ＨＤＤ１５に記憶された
目的地情報データベース１５ａに、各候補地毎に位置データ、名称、施設ジャンル、及び
候補地のイメージに合う曲のジャンル（イメージ曲ジャンル）が収録されている場合につ
いて説明しているが、目的地情報データベース１５ａには、図７に示したように、各候補
地のイメージに合うキーワード情報（イメージキーワード）や、各候補地とアーティスト
とを関連付けるアーティスト関連キーワードなどを収録させるようにしてもよい。
【００５４】
それに対応させてＨＤＤ１５に記憶されている楽曲データベース１５ｂには、図８に示
したような歌詞情報（場所や施設等を特定できる歌詞の中のキーワードなど）、曲のイメ
ージ情報（イメージから場所や施設等を特定できるキーワードなど）や、図９に示したよ
うなアーティスト情報（例えば、アーティストのイメージ、趣味や好物、スケジュール、
縁の場所など）や、図１０に示したような曲のプロフィール情報（例えば、主題歌や挿入
歌として採用されたドラマ、映画、ＣＭ等の情報など）等のその曲の特徴情報を収録させ
るようにする。
【００５５】
これにより、楽曲データベース１５ｂに収録された選択曲の歌詞情報を、目的地情報デ
ータベース１５ａに収録されているキーワード情報等と照合させて、これらの情報が互い
に関連付けられる（例えば、これらの情報が一致する）候補地を選択曲の歌詞に適した目
的地として検索させることができる。また、楽曲データベース１５ｂに収録された選択曲
のイメージ情報を、目的地情報データベース１５ａに収録されているキーワード情報等と
照合させて、これらの情報が互いに関連付けられる候補地を選択曲のイメージに適した目
的地として検索させることもできる。
【００５６】
また、楽曲データベース１５ｂに収録された選択曲のアーティスト情報を、目的地情報
データベース１５ａに収録されているアーティスト関連情報等と照合させて、これらの情
報が互いに関連付けられる（例えば、これらの情報が一致する）候補地を選択曲のアーテ
ィスト情報に適した目的地として検索させることもできる。
【００５７】
さらに、楽曲データベース１５ｂに収録された選択曲のプロフィール情報を、目的地情
報データベース１５ａに収録されているキーワード情報等と照合させて、これらの情報が
互いに関連付けられる候補地を選択曲のプロフィール情報に適した目的地として検索させ
ることもできる。
【００５８】
また、通信装置２２を介して道路交通センター等から道路交通情報を取得できるように
して、取得した道路交通情報（渋滞情報や工事情報）を踏まえた選択曲に適した目的地の
検索や経路探索を行わせるようにしてもよい。道路交通情報（渋滞情報や工事情報）を踏
まえることにより、設定された戻り時間で戻れる可能性の高い選択曲に適した目的地を検
出することが可能となる。
【００５９】
また、上記実施の形態（１）に係るナビゲーション装置では、目的地情報データベース
１５ａに記憶されている全ての目的地の候補地の中から選択曲のジャンルに適した目的地
を検索するようになっているが、別の実施の形態では、目的地の候補地のジャンルを絞り
込むための「目的地候補指定設定」画面を通じて、目的地の検索の前に目的地候補（例え
ば、施設ジャンル等）を絞り込む設定を行うようにしてもよい。検索対象とする目的地候
補を指定することにより、目的地候補を予め絞り込むことができ、必要のない候補地を除
いた効率の良い検索処理を行うことができる。
【００６０】
図１１は、実施の形態（２）に係るナビゲーション装置の要部を概略的に示したブロッ
ク図である。但し、図１に示したナビゲーション装置と異なる機能を有するマイコン１１
ＡとＨＤＤ１５Ａとには、異なる符号を付し、その他の同一機能を有する構成部品につい
ては同一符号を付し、その説明を省略する。
【００６１】
実施の形態（１）に係るナビゲーション装置では、記憶媒体１６又は楽曲データベース
１５ｂから取得した選択曲のジャンルに基づいて、目的地情報データベース１５ａから選
択曲のジャンルに適した目的地を検索するようになっているが、実施の形態（２）に係る
ナビゲーション装置では、記憶媒体１６又は楽曲データベース１５ｂから取得した選択曲
に関する情報に基づいて、過去に設定された目的地に関する情報と、各目的地の設定時に
選択された曲情報とが記憶された目的地別曲情報記憶テーブル１５ｃから選択曲に対応し
た目的地、すなわち、過去にその曲を聴いていたときに設定されていた目的地を検索する
ようになっている。
【００６２】
図１２は、ＨＤＤ１５に記憶された目的地別選択曲情報テーブル１５ｃのデータ構造を
示している。図１２に示したように、目的地別選択曲情報テーブル１５ｃには、過去に設
定された目的地に関する情報として、日付データ、目的地の位置データ、名称などの情報
が記憶されるとともに、選択された曲情報として、曲名、アーティスト名、アルバム名、
ジャンルなどの情報が記憶されるようになっている。これらの曲情報は、記憶媒体１６や
楽曲データベース１５ｂ等から読み取られた情報である。
【００６３】
次に、実施の形態（２）に係るナビゲーション装置におけるマイコン１１Ａの行う処理
動作を図１３に示したフローチャートに基づいて説明する。なお、本処理動作は、目的地
設定画面において、選択曲による目的地の自動検索がユーザーにより選択された場合に実
行される。また、本処理動作は、図６に示したマイコン１１の行う処理動作のステップＳ
７の代わりにステップＳ２１、Ｓ２２を挿入した構成となっており、ここでは相違点のみ
説明することとする。
【００６４】
ステップＳ６では、ＧＰＳ信号などに基づいて現在位置を算出する処理を行い、その後
ステップＳ２１に進む。ステップＳ２１では、現在位置から設定された戻り時間で戻って
くることができるエリア内で、取得した選択曲に関する情報に基づいて、ＨＤＤ１５Ａに
記憶された目的地別選択曲情報テーブル１５ｃから選択曲に該当する目的地を検索する。
すなわち、取得した選択曲に関する情報を、目的地別選択曲情報テーブル１５ｃに記憶さ
れている選択曲に関する情報等と照合させて、これらの情報（例えば、曲名、アーティス
ト、アルバム、ジャンルのいずれか）が一致した過去に設定された目的地を選択曲に対応
する目的地として検索する処理を行い、その後ステップＳ２２に進む。
【００６５】
ステップＳ２２では、選択曲に対応する目的地が検出されたか否かを判断し、選択曲に
対応する目的地が検出されていない（選択曲に対応する目的地がなかった）と判断すれば
、処理を終了する一方、選択曲に対応する目的地が検出されたと判断すればステップＳ８
以降の処理に進む。
【００６６】
上記実施の形態（２）に係るナビゲーション装置によれば、取得した選択曲に関する情
報に基づいて、目的地別選択曲情報テーブル１５ｃから選択曲に対応した目的地が検索さ
れる。すなわち、選択曲に関する情報を、目的地別選択曲情報テーブル１５ｃの情報と照
合させることにより、過去に設定された目的地を、新たに選択された曲に対応した目的地
として検出することができ、過去にその曲を聴いた時に設定されていた目的地を再度設定
することができ、過去に行ったドライブコースを再現することもできる。
【００６７】
なお、上記実施の形態に係るナビゲーション装置においては、該ナビゲーション装置が
、選択曲に関する情報（例えば、曲のジャンル、アーティストの情報、歌詞情報、曲のイ
メージ情報やプロフィール情報などの曲の特徴情報等）を記憶媒体１６や楽曲データベー
ス１５ｂから取得し、取得した選択曲に関する情報を含む検索条件に基づいて、目的地情
報データベース１５ａから選択曲に適した目的地を検索するようにしているが、別の実施
の形態に係るナビゲーション装置では、ナビゲーション装置から音楽再生装置１７で再生
するように選択された曲の情報を含む検索条件データを、例えば、インターネットに接続
された情報提供装置へ送信し、該情報提供装置で、前記検索条件データを基に選択曲に関
する情報を取得し、取得した該情報に基づいて選択曲に適した目的地を検索し、検出され
た目的地に関する情報を前記ナビゲーション装置へ送信し、該ナビゲーション装置で、受
信した前記目的地に関する情報をユーザーへ提示（例えば、表示部へ表示）するようにし
ても良い。
【００６８】
なお、前記情報提供装置は、情報提供のための処理を行うマイクロコンピュータにより
構成されたサーバと、各種情報（目的地情報データベースや楽曲データベースなど）を記
憶する記憶手段と、前記ナビゲーション装置の通信装置と通信するための通信手段とを含
んで構成されており、前記サーバはインターネット網に接続され、インターネット網を介
して、各種情報（地図情報や曲に関する情報など）を収集することができるようになって
いる。
【００６９】
このようなナビゲーション装置と情報提供装置とを含んで構成されるナビゲーションシ
ステムによれば、選択曲に適した目的地の検索が前記ナビゲーション装置ではなく、前記
情報提供装置で行わせることにより、前記ナビゲーション装置の検索処理にかかる負担を
低減することができるとともに、目的地の候補地に関する情報、曲に関する情報などをナ
ビゲーション装置に記憶させておく必要がないので、情報の記憶容量を少なくすることが
できる。また、前記情報提供装置では、目的地の候補地に関する情報や、曲に関する情報
などの収集が容易なため、最新情報など多くの情報が反映されたより充実した目的地に関
する情報をナビゲーション装置へ提供することができる。
【図面の簡単な説明】
【００７０】
【図１】本発明の実施の形態（１）に係るナビゲーション装置の要部を概略的に示したブロック図である。
【図２】実施の形態（１）に係るナビゲーション装置のＨＤＤに記憶されている目的地情報データベースのデータ構造を示した図である。
【図３】実施の形態（１）に係るナビゲーション装置のＨＤＤに記憶されている楽曲データベースのデータ構造を示した図である。
【図４】実施の形態（１）に係るナビゲーション装置の表示パネルに表示される操作画面を示した図である。
【図５】実施の形態（１）に係るナビゲーション装置の表示パネルに表示される操作画面を示した図である。
【図６】実施の形態（１）に係るナビゲーション装置におけるマイコンの行う処理動作を示したフローチャートである。
【図７】別の実施の形態に係るナビゲーション装置のＨＤＤに記憶されている目的地情報データベースのデータ構造を示した図である。
【図８】別の実施の形態に係るナビゲーション装置のＨＤＤに記憶されている楽曲データベースのデータ構造を示した図である。
【図９】別の実施の形態に係るナビゲーション装置のＨＤＤに記憶されている楽曲データベースのデータ構造を示した図である。
【図１０】別の実施の形態に係るナビゲーション装置のＨＤＤに記憶されている楽曲データベースのデータ構造を示した図である。
【図１１】実施の形態（２）に係るナビゲーション装置の要部を概略的に示したブロック図である。
【図１２】実施の形態（２）に係るナビゲーション装置のＨＤＤに記憶されている目的地別選択曲テーブルのデータ構造を示した図である。
【図１３】実施の形態（２）に係るナビゲーション装置におけるマイコンの行う処理動作を示したフローチャートである。
【符号の説明】
【００７１】
１１、１１Ａ  マイコン
１５  ＨＤＤ
１５ａ  目的地情報データベース
１５ｂ  楽曲データベース
１６  記憶媒体
１７  音楽再生装置
【図１】
2005156160.tif 000003
【図２】
2005156160.tif 000004
【図３】
2005156160.tif 000005
【図４】
2005156160.tif 000006
【図５】
2005156160.tif 000007
【図６】
2005156160.tif 000008
【図７】
2005156160.tif 000009
【図８】
2005156160.tif 000010
【図９】
2005156160.tif 000011
【図１０】
2005156160.tif 000012
【図１１】
2005156160.tif 000013
【図１２】
2005156160.tif 000014
【図１３】
2005156160.tif 000015